(57)【要約】 【課題】  パチンコ機毎に適切な位置に球詰まり解消手段を変位することで効率的に球詰まりを解消することを目的とする。【解決手段】  タンクレール２０は、底壁２１の両側に垂直に起立する側壁２２を備えた樋状をなしていると共に、片側の側壁２２（背面側）には、タンクレール２０の上流側から下流側に延びるガイドレール３５が固定されている。さらに、このガイドレール３５には、球詰まり解消手段としてのバイブレータ４０がスライド可能に取りつけられている。バイブレータ４０は、タンクレール２０の外面に沿って、変位可能であるから、遊技店毎又はパチンコ機毎に球詰まりが発生しやすい場所にバイブレータ４０を変位することによって効率的に球詰まりを解消できる。【選択図】  図２
2010110657.tif 000002
【特許請求の範囲】
【請求項１】
上流側の貯留タンクに蓄積されたパチンコ球を下流側の賞球制御部に対して供給するタンクレールであって、球詰まり解消用の球詰まり解消手段が、その取付位置を変更可能に装着されていることを特徴とするタンクレール。
【発明の詳細な説明】
【技術分野】
【０００１】
本発明は、パチンコ球を貯留タンクから賞球制御部へ供給するタンクレールに関する。
【背景技術】
【０００２】
パチンコ機において賞球の払い出し個数を制御する賞球制御部へのパチンコ球の供給停止してしまうと、賞球が十分に放出されなくなり、遊技者は極めて不快な思いをする。また、このような場合には、その都度店員がパチンコ機の前面枠を開いて球詰まりの状態を直さなければならず、非常に面倒であった。
このようなパチンコ球の供給が停止してしまう原因の一つとして、貯留タンクから賞球制御部へパチンコ球を供給するタンクレールにおける球詰まりがあった。そして、この球詰まりはいくつかのパチンコ球が上下に積み重なって団塊化して、そのままの状態でタンクレール内に噛み込むことによって生ずることが知られている。
【０００３】
そこで、この球詰まりを解消するために、タンクレールにおいて球詰まりが発生し易い場所に球詰まり解消手段としての振動モータを設けたものが提案されている（例えば、特許文献１参照）。
これは、タンクレールに球詰まりが発生して、賞品球払出装置が球切れ状態になったとしても、振動モータが振動しパチンコ球の団塊を崩すことによって、球詰まり状態を解消するというものである。
【０００４】
【特許文献１】特開平１１−２２６２１３号公報（第１図）
【発明の概要】
【発明が解決しようとする課題】
【０００５】
しかしながら、このような振動モータ付きのタンクレールを用いても、パチンコ機が置される遊技店（ホール）によっては、球詰まりが解消されない場合があった。
また、同一の遊技店においても、パチンコ機の設置場所等の設置状況によっては、球詰まりが解消されない場合があった。
この原因を発明者等が詳細に検討したところ、タンクレールにおける球詰まりを頻繁に発生させる場所は、遊技店毎に、パチンコ機毎に異なることが判明したのである。これは、遊技店毎に島からパチンコ機にパチンコ球を供給する補給装置が異なること、また、同一遊技店内であっても、島におけるパチンコ機の設置位置が異なり、パチンコ球によって貯留タンクにかかる圧力等が異なることに起因するものと推測された。
本発明は上記のような事情に基づいて完成されたものであって、パチンコ機毎に適切な位置に玉詰まり解消手段を変位することで効率的に球詰まりを解消することを目的とする。
【課題を解決するための手段】
【０００６】
上記課題を解決するための有効な手段とその作用・効果を以下に示す。
＜手段１＞
手段１は、上流側の貯留タンクに蓄積されたパチンコ球を下流側の賞球制御部に対して供給するタンクレールであって、球詰まり解消用の球詰まり解消手段が、その取付位置を変更可能に装着されていることを特徴とするタンクレールである。
【０００７】
本手段の構成によれば、球詰まり解消手段は、その取付位置を変更可能に装着されているから、遊技店毎又はパチンコ機毎に球詰まりが発生しやすい場所に球詰まり解消手段を移動することによって効率的に球詰まりを解消できる。
【０００８】
＜手段２＞
手段２は、上流側の貯留タンクに蓄積されたパチンコ球を下流側の賞球制御部に対して供給するタンクレールであって、球詰まり解消用の球詰まり解消手段と、この球詰まり解消手段を前記タンクレールの外面に沿って変位可能とするとともに、前記球詰まり解消手段を前記外面の所定位置において固定可能なスライド手段とを備えたことを特徴とするタンクレールである。
【０００９】
本手段の構成によれば、球詰まり解消手段は、タンクレールの外面に沿って変位固定が可能であるから、遊技店毎又はパチンコ機毎に球詰まりが発生しやすい場所に球詰まり解消手段を変位することによって効率的に球詰まりを解消できる。
【００１０】
＜手段３＞
手段３は、手段２に記載のものにおいて、前記スライド手段は、前記球詰まり解消手段側に備えられたスライダーと、前記タンクレール側に長手方向に沿って配され、前記スライダーを摺動可能に案内するガイドレールとを具備することを特徴とする。
【００１１】
本手段の構成によれば、ガイドレールに沿って球詰まり解消手段を確実に変位することができる。
【００１２】
＜手段４＞
手段４は、手段３に記載のものにおいて、前記ガイドレール側には、長手方向に沿って固定歯部が形成され、前記スライダーには、その摺動動作に伴って前記固定歯部の各歯に対し選択的に係止可能な可動爪が設けられていることを特徴とする。
【００１３】
本手段の構成によれば、球詰まり解消手段は可動爪と固定歯部によってガイドレールの長手方向の所定位置において確実に係止される。
【００１４】
＜手段５＞
手段５は、手段３又は手段４に記載のものにおいて、前記タンクレールの出口付近には、パチンコ球を流す流路が、高さ方向に絞られていくように天井板が設けられ、前記ガイドレールは、その側壁における前記天井板による前記流路の絞り始め部分寄りの位置に前記スライダーを誘導できるように形成されていることを特徴とする。
【００１５】
一般的に、パチンコ球の流れる流路が、高さ方向に絞られていくように天井板が設けられている流路の絞り始め部分においては、流路が流れ方向に対して狭まっていくため、球詰まりを起こしやすい。本手段の構成によれば、球詰まりが一般的におきやすい場所に球詰まり解消手段を誘導可能としたから、球詰まりを効果的に排除することができる。
【００１６】
＜手段６＞
手段６は、手段３ないし手段５のいずれかに記載のものにおいて、前記ガイドレールは、前記貯留タンクからのパチンコ球が供給される前記タンクレールの入り口付近の位置に前記スライダーを誘導できるように形成されていることを特徴とする。
【００１７】
タンクレールの入り口付近は、パチンコ球の圧力がかかり易いため詰まりやすい。本手段の構成によれば、球詰まりが一般的におきやすいタンクレールの入り口付近まで球詰まり解消手段を誘導可能としたから、球詰まりを効果的に排除することができる。
【００１８】
＜手段７＞
手段７は、手段３ないし手段６のいずれかに記載のものにおいて、前記ガイドレールは、前記タンクレールの底壁面に段差部が設けられている場所付近の位置に前記スライダーを誘導できるように形成されていることを特徴とする。
【００１９】
従来より、タンクレールの底壁に段差部を設け、パチンコ球の流れを局部的に不安定化させることにより球詰まりを解消する方法が知られていた。
ところが、段差部のみでは、球詰まりを解消できない場合があった。本手段の構成によれば、この段差部を設けた場所にも球詰まり解消手段を誘導可能としたから、タンクレールの底壁の段差部によって、球詰まりが解消されないとしても、球詰まり解消手段によって効果的に球詰まりを解消することができる。
【００２０】
＜手段８＞
手段８は、手段３ないし手段７のいずれかに記載のものにおいて、前記ガイドレールは、前記タンクレールの底壁面の傾斜勾配が変化している場所付近の位置に前記スライダーを誘導できるように形成されていることを特徴とする。
【００２１】
タンクレールの底壁については、球詰まりし易い場所で傾斜勾配を変化させ、パチンコ球の流れを局部的に不安定化させることにより球詰まりを解消する方法が知られていた。
ところが、傾斜勾配の変化のみでは、球詰まりを解消できない場合がある。本手段の構成によれば、傾斜勾配を設けた場所にも球詰まり解消手段を誘導可能としたから、タンクレールの底壁の傾斜勾配によって、球詰まりが解消されないとしても、球詰まり解消手段によって効果的に球詰まりを解消することができる。
【００２２】
＜手段９＞
手段９は、手段３ないし手段８のいずれかに記載のものにおいて、前記ガイドレールの幅方向の中央は、前記底壁に対して、少なくともパチンコ球１つの直径よりも高い位置に配置されていることを特徴とする。
【００２３】
パチンコ球の球詰まりは、パチンコ球の上にパチンコ球が乗り上げて起きるため、あまり底壁に近い位置では起きない。本手段の構成によれば、球詰まりが起こりやすい、底壁から少なくともパチンコ球１つの直径よりも高い位置に球詰まり解消手段が配置されるから、効果的に球詰まりを解消することができる。
【００２４】
＜手段１０＞
手段１０は、手段３ないし手段９のいずれかに記載のものにおいて、前記ガイドレールは、長手方向両端が開口し、この開口から前記スライダーを摺動可能に組み込み可能なガイド溝を有するとともに、前記ガイドレールの両端にはこれら端部を閉止するキャップが取り外し可能に固定されていることを特徴とする。
【００２５】
本手段の構成によれば、キャップを外して、球詰まり解消手段を入れ替えることができる。従って、球詰まり解消手段の種類を個々のパチンコ機に相性のよいものと取り替えることができる。また、球詰まり解消手段が故障した場合には、球詰まり解消手段を簡単に取り替えることができるため、修理が簡便となる。
【００２６】
＜手段１１＞
手段１１は、手段１ないし手段１０のいずれかに記載のものにおいて、前記タンクレールには、取付位置の指標が付されていることを特徴とする。
【００２７】
本手段の構成によれば、取付位置の指標が付されているから、この指標を目安として位置決めできる。従って、位置決めが容易となる。
【００２８】
＜手段１２＞
手段１２は、手段２ないし手段１１のいずれかに記載のものにおいて、前記球詰まり解消手段はタンクレールを振動させる振動手段であるとともに、前記ガイドレールは、前記タンクレールに一体成形されていることを特徴とする。
【００２９】
ガイドレールをタンクレールとは別部材によって形成し、この部材をタンクレールと接合した構成では、接合部分において、振動手段からの振動が減衰するおそれがある。
本手段においては、ガイドレールがタンクレールに一体成形されているから、振動手段の振動が接合部分で減衰することなくパチンコ球に伝達される。
【００３０】
＜手段１３＞
手段１３は、手段１ないし手段１２のいずれかに記載のものにおいて、前記球詰まり解消手段、前記タンクレール、又は前記ガイドレールには、前記球詰まり解消手段から導出した電源コードの巻き取り用の巻き取り手段が設けられていることを特徴とする。
【００３１】
その取付位置を変位可能とした球詰まり解消手段の電源コードは、球詰まり解消手段が電源回路から最も離れた取付位置にある場合でも足りるような長さとする必要がある。
そのため、球詰まり解消手段の取付位置によっては、電源コードが余り、この余った電源コードが邪魔となるばかりか、作業者がパチンコ機の機構板等の調整をする場合に引っかけて電源コードが電源回路から抜けてしまったり、電源コードが断線する可能性もある。
本手段の構成によれば、余剰の電源コードは巻き取り手段に巻き取り可能であるから、作業者が余剰の電源コードを引っかけて電源コードが電源回路から抜けてしまったり、電源コードが断線するおそれが減少する。
【００３２】
＜手段１４＞
手段１４は、手段１に記載のものにおいて、前記タンクレールには、前記球詰まり解消手段を前記タンクレールに取り付けるための取付部が複数位置に設けられていることを特徴とする。
【００３３】
本手段の構成によれば、球詰まり解消手段は、その取付位置を変更できるから、遊技店毎又はパチンコ機毎に球詰まりが発生しやすい場所に球詰まり解消手段を位置変更することによって効率的に球詰まりを解消できる。
＜手段１５＞
手段１５は、手段１４に記載のものにおいて、前記取付部は、前記球詰まり解消手段から導出した電源コードの巻き取りを可能に形成されていることを特徴とする。
本手段の構成によれば、余剰の電源コードは取付部に巻き取り可能であるから、作業者が余剰の電源コードを引っかけて電源コードが電源回路から抜けてしまったり、電源コードが断線するおそれが減少する。
【図面の簡単な説明】
【００３４】
【図１】第１実施形態のパチンコ機の背面図
【図２】タンクレールの斜視図
【図３】タンクレールの分解斜視図
【図４】バイブレータをガイドレールに取り付けた状態の一部拡大斜視図
【図５】スライダーとガイドレールの分解斜視図
【図６】図４のＸ−Ｘにおける断面図
【図７】第２実施形態のスライダーとガイドレールの分解斜視図
【図８】スライダーをガイドレールに組み付けた状態を示す斜視図
【図９】第３実施形態のタンクレールの斜視図
【図１０】タンクレールの斜視図
【図１１】第４実施形態のタンクレールの斜視図
【図１２】第５実施形態のタンクレールの斜視図
【発明を実施するための最良の形態】
【００３５】
＜第１実施形態＞
以下、本発明の第１実施形態を添付図面を参照しつつ説明する。
表面側に図示しない遊技盤を備えるパチンコ機１０は、図１に示すように背面側に機構板１１を備えると共に機構板１１の上方には貯留タンク１２が配設されている。
貯留タンク１２は、パチンコ球を予め蓄積しておくためのものであり、また、機構板１１には、賞球皿（図示なし）へ所定量の賞球を配給する賞球制御部１３が設けられている。
そして、貯留タンク１２と賞球制御部１３との間にはタンクレール２０が配設されており、貯留タンク１２内のパチンコ球がタンクレール２０を介して賞球制御部１３に供給される構成となっている。また、タンクレール２０は貯留タンク１２側（上流側）から賞球制御部１３側（下流側）へ向けて緩やかな勾配を持つように設けられている。
【００３６】
本実施形態に係るタンクレール２０は、導電性を有する樹脂製で、図２、図３に示すように底壁２１の両側に垂直に起立する側壁２２を備えた樋状をなしていると共に、片側の側壁２２（背面側）には、後に詳細に説明する、タンクレール２０の上流側から下流側に延びるガイドレール３５が固定されている。さらに、このガイドレール３５には、球詰まり解消手段として、振動手段であるバイブレータ（振動手段）４０がスライド可能に取りつけられている。なお、ガイドレール３５は、タンクレール２０の側壁２２のうちパチンコ機１０の背面側となる側壁２２に取り付けられている。
【００３７】
まず、図３を参照しつつ、タンクレール２０について詳細に説明すると、タンクレール２０の上流側（図３の左上方側）端部には底面を滑らかな球面状に形成した球受部２３が設けられている。球受部２３は貯留タンク１２から落下してきたパチンコ球の外部への飛び出しを規制して、パチンコ球を円滑にタンクレール２０内に進入させるようになっている。
また、タンクレール２０の両側壁２２，２２は球受部２３と同幅をもって連続しており、それぞれは僅かな相違はあるものの基本的には対称形状をなしている。すなわち、両側壁２２，２２は球受部２３から下流側へ向けてほぼ半分の範囲は徐々に高さを増すように形成されており、そこから先は緩やかな円弧面をもって徐々に下り勾配をなすように形成されている。
【００３８】
球受部２３に連続したタンクレール２０の底壁２１には、図３に示すように、幅方向の中央部に長手方向に延びる仕切壁２４が側壁２２と平行に底壁２１から垂直に起立して設けられて、仕切壁２４を境に、パチンコ球を二手に分流させるようにしている。ここで、仕切壁２４と左右の両側壁２２，２２との間隔はパチンコ球の直径よりも僅かに幅広に設定され、二手に分流させたパチンコ球を下流側へ至るに連れて整列するための整列路２５が形成されている。
また、仕切壁２４は、上流側の途中を始端として長さ方向中央部に至るまでの範囲が徐々に高さを増すように形成され、これに連続して急激に立ち上る立ち上り部２４Ａが形成されている。そして、仕切壁２４は立ち上り部２４Ａから下流に向けて下り勾配となり、その後、整列路２５の終端に至るまでの間は、同一高さとなっている。
【００３９】
また、各整列路２５の底壁２１にはパチンコ球を浮かせた状態で流下させるための突条２６が設けられている。突条２６は上流側部分と下流側部分とで形態を異にしており、上流側部分では底壁２１の中央部に１条が突出する形態の上流側突条２６Ｕとなっており、下流側部分では２条に分かれた形態の下流側突条（本願の「落下受け部」に相当する）２６Ｌとなっている。上流側突条２６Ｕと下流側突条２６Ｌとの境界部分では上流側突条２６Ｕの終端部が下流側突条２６Ｌの間に入り込むように設けられている。
突条２６を設けた理由は、パチンコ球に付着しているゴミ等を整列路２５の底面へ落下させるためであり、さらに、落下したゴミをさらにタンクレール２０外へ排出するために底壁２１に多数の開口部２９が設けられている。この実施形態では、上流側突条２６Ｕに対応した部分には突条の両側に開口部２９が配設されており、下流側突条２６Ｌに対応する部分では突条同士の間に開口部２９が配設されている。
【００４０】
また、上流側突条２６Ｕは、流れ方向の中央部分に下流側を低くする第１段差部２７Ａが設けられている。上流側突条２６Ｕは、第１段差部２７Ａを境に２段階に勾配が変更してあり、第１段差部２７Ａの上流側前半部が緩い勾配で球を通過させる低速部を構成し、第１段差部２７Ａの下流側後半部はより勾配の急な中速部を構成している。さらに、下流側突条２６Ｌは、中速部よりもさらに急勾配に設定された高速部となっている。そして、上流側突条２６Ｕの終端部には下流側突条２６Ｌ側を低くするように第２段差部２７Ｂが形成されている。この第２段差部２７Ｂが設けられている位置は仕切壁２４における立ち上り部２４Ａよりも僅かに下流側に設定されている。
【００４１】
さらに、タンクレール２０の下流側半分の上側開口には天井板３０が配設されている。具体的には天井板３０は側壁２２のうち奥側の頂点部からタンクレール２０の下流端に至るまでの範囲に亘って設けられている。この天井板３０は、側縁の前後両端部と中央部との３箇所に係止凸部３０Ａが設けられており、この係止凸部３０Ａが側壁２２に設けられた係止孔部２２Ａと係合して固定されるようになっている。
【００４２】
次に、ガイドレール３５及びバイブレータ４０の構成について図２、図４〜図を参照しつつ詳細に説明する。
ガイドレール３５は、貯留タンク１２からパチンコ球が供給されるタンクレール２０の入り口付近から、天井板３０の配置されたタンクレール２０の出口付近までの側壁２２に配設されている。
従って、本実施形態では、ガイドレール３５は、傾斜勾配の変化する第１段差部２Ａ、及び第２段差部２７Ｂが設けられている場所の側壁２２にも設けられている。
また、図２に示すように、ガイドレール３５によって形成されるガイド溝３５Ｈの幅方向の中央３５Ｄは、タンクレール２０の底壁２１面に対して、少なくともパチンコ球１つの直径よりも高い位置に配置されている。
【００４３】
ガイドレール３５は、両端が開口する断面略Ｃ字状をなして樹脂にて成形されている。詳しくは、平板状の底壁３５Ａの両端から上方へ側壁３５Ｂが立設され、この側壁３５Ｂの先端からさらに、底壁３５Ａと平行に張出部３５Ｃが互いに内側に張り出している。底壁３５Ａと側壁３５Ｂと張出部３５Ｃとで、後述するスライダー４１の摺動部４３をガイド可能なガイド溝３５Ｈをなしている。
また、底壁３５Ａの内面側には、その中央部に窪んだ凹部３７が、前後方向に沿って所定間隔毎に設けられている。凹部３７は、バイブレータ４０をガイドレール３５に固定する際に、ボルト３９の先端部をこの凹部３７に落とし込んで、予め決められた所定の位置で、バイブレータ４０を固定するために設けられている。なお、ガイドレール３５の両終端部は、スライダー４１を挿入後、キャップ４５がはめ込まれ、スライダー４１が不用意に抜け落ちることを防止している。このキャップ４５は、着脱可能とされており、バイブレータ４０の入れ替えが可能となっている。
【００４４】
スライダー４１は、ガイド溝３５Ｈに適合して嵌合できるような断面略逆Ｔ字状をなし、同ガイド溝３５Ｈに沿ってスライド可能な摺動部４３と、これに固定されバイブレータ４０を取りつけるための取付板４７とからなる。
摺動部４３は、その幅がガイドレール３５の両側壁３５Ｂ間の距離よりもやや小さい平板状の底壁４３Ａと、この底壁４３Ａの幅方向の中央が前後方向に沿って延びるとともに、上方に向かって略直角に立設された立壁４３Ｂとを備える。
【００４５】
また、摺動部４３の立壁４３Ｂの両端付近には、底壁４３Ａに対して垂直方向に立壁４３Ｂ及び底壁４３Ａを貫通するねじ挿通孔４３Ｃが形成されている。このねじ挿通孔４３Ｃの内周側は、ねじ３９を螺合可能なねじ孔となっている。
図６に示すように、両ねじ挿通孔４３Ｃにバイブレータ４０側から、ねじ３９を螺合していくと、ねじ３９の先端部がガイドレール３５の底壁３５Ａに当接し、さらにねじ３９を螺合していくと、摺動部４３の底壁４３Ａがせり上がって、底壁４３Ａの上面が、ガイドレール３５の張出部３５Ｃの内面と当接するようになっている。従って、バイブレータ４０の振動は、摺動部４３の底壁４３Ａとガイドレール３５の張出部３５Ｃの内面との面接触によって伝達することとなる。
【００４６】
摺動部４３の立壁４３Ｂの上面には、摺動部４３の底壁４３Ａとほぼ平行になるように取付板４７が固定されている。取付板４７は、概ね長方形状の板部材であって、その幅方向中央にてねじ締めによって摺動部４３と固定されている。なお、取付板４７は摺動部４３に固定された状態で、摺動部４３のねじ挿通孔４３Ｃを覆い隠さないサイズとなっている。
取付板４７の両側部の中央には、バイブレータ４０を取り付けるための取付孔４７Ａが穿設された取付部４７Ｂが張り出して形成されている。
【００４７】
バイブレータ４０は、概ね直方体状をなす収納ケース４０Ｂと、この中に収納された図示しない振動用モータとからなる。振動用モータは、軸に偏心輪が取りつけられており、電源が投入されると、振動するようになっている。なお、バイブレータ４０の電源コード４０Ｄは、収納ケース４０Ｂの一側壁から導出されている。
また、収納ケース４０Ｂの両側壁には張出部４０Ｃが形成され、この張出部４０Ｃには、取付板４７の取付孔４７Ａに対応する位置に取付孔４０Ａが設けられている。
取付孔４０Ａと、取付板４７の取付孔４７Ａとを合致させ、上方からねじ４９を入れ、ねじ４９の先端に下方からナット５０を螺合して締め付けることにより、バイブレータ４０とスライダー４１とを固定できるようになっている。
なお、バイブレータ４０は、取付板４７に固定された状態で、摺動部４３のねじ挿通孔４３Ｃを覆い隠さないサイズとなっている。
【００４８】
続いて、本実施形態の作用効果について説明する。パチンコ機１０は、バイブレータ４０がガイドレール３５の所定の初期位置に取り付けられた状態で遊技店に納入される。そして、遊技店はこのパチンコ機１０を動作させる。ところが、遊技店毎に島からパチンコ機１０にパチンコ球を供給する補給装置が異なること、また、同一遊技店内であっても、島におけるパチンコ機１０の設置位置が異なること等から、パチンコ機１０の中には、初期位置では球詰まりが解消されないものが存在する場合がある。
この際、遊技店は、パチンコ機１０毎にバイブレータ４０の位置を変更する。具体的には、まず、スライダー４１のねじ３９をゆるめる。そして、球詰まり解消効果が高いと思われる位置にバイブレータ４０をスライド移動し、ねじ３９を締めて固定する。このようにして、遊技店毎、パチンコ機毎に最適位置にバイブレータ４０の位置を変更して効果的に球詰まりを解消する。
【００４９】
また、本実施形態では、一般的に、球詰まりが発生し易い位置、言い換えれば、バイブレータ４０を配した場合にバイブレータの球詰まり解消効果がよく発揮される位置、具体的には1)天井板３０による流路の絞り始め部分寄りの位置、2)タンクレール２０の入り口付近の位置、3)タンクレール２０の底壁２１に傾斜勾配の変化する第１段差部２７Ａ、及び第２段差部２７Ｂが設けられている位置にスライダー４１を誘導可能となっている。
よって、遊技店では、単にガイドレール３５に沿って、バイブレータ４０を変位させるだけで、球詰まり効果の高い位置にバイブレータ４０を変位させることができる。
【００５０】
また、ガイド溝３５Ｈの幅方向の中央３５Ｄは、タンクレール２０の底壁２１面に対して、少なくともパチンコ球１つの直径よりも高い位置に配置されている。
つまり、バイブレータ４０は、球詰まりが起こりやすい、底壁２１から少なくともパチンコ球１つの直径よりも高い位置に配置されるから、効果的に球詰まりを解消することができる。
【００５１】
また、ガイドレール３５のキャップ４５は、着脱可能とされており、バイブレータ４０の入れ替えが可能となっている。従って、バイブレータ４０の種類を最適なものに取り替えることができる。また、バイブレータ４０が故障した場合には、バイブレータ４０のみを入れ替えればよいため、修理が簡便となる。
【００５２】
＜第２実施形態＞
次に、第２実施形態について図７〜８を参照しつつ説明する。
第２実施形態では、第１実施形態と異なる構成のみ説明し、第１実施形態と同一の他の構成、作用、効果については省略する。なお、本実施形態においては、ガイドレール３５及びスライダー４１が第１実施形態と異なる。
【００５３】
ガイドレール３５は、断面略Ｃ字状の樹脂からなる成形体であり、平板状の底壁３５Ａの両端から上方へ側壁３５Ｂが立設され、この側壁３５Ｂの先端からさらに、底壁３５Ａと平行に張出部３５Ｃが互いに内側に張り出している。底壁３５Ａと側壁３５Ｂと張出部３５Ｃとで、スライダー４１をガイド可能なガイド溝３５Ｈをなしている。また、ガイドレール３５の張出部３５Ｃの上面には、取付位置の指標３５Ｆがほぼ全長にわたって付されている。
さらに、両側壁３５Ｂの内面には、ラチェット歯３６（本願の固定歯に相当する）がほぼ全長にわたって形成されている。このラチェット歯３６のギア面は、スライダー４１のアーム部４２に形成された係止歯４２Ａ（本願の可動爪に相当する）と噛み合い、これによりスライダー４１が位置固定されるようになっている。
【００５４】
スライダー４１は、ガイドレール３５を摺動してスライド可能な摺動部４３と、これに固定されバイブレータ４０を取りつけるための取付板４７とを有する。
【００５５】
摺動部４３は、略直方体の本体部５１と、この本体部５１の幅方向の両側に設けられたアーム部４２とからなる。
アーム部４２は、本体部５１に接近する方向へ撓み可能な片持ち状のアームをなし、撓みを容易にするために、基端部の外側には切欠５３が形成されている。
【００５６】
アーム部４２の外側の側面には、ガイドレール３５のラチェット歯３６と噛み合い、ラチェット歯３６の各歯に対し選択的に係止可能な係止歯４２Ａが形成されている。なお、アーム部４２の弾性反力がラチェット歯３６と係止歯４２Ａを噛み合わせる方向に作用しているから、これらの噛み合いによって、スライダー４１がガイドレール３５にロックされる。
【００５７】
アーム部４２の中央部から自由端にかけては、本体部５１側の端部から上方に向けて立壁５５が設けられいる。この立壁５５は、スライダー４１が、図８に示すようにガイドレール３５に挿入された状態においてガイドレール３５の張出部３５Ｃの上面をわたるように外側に向けて略直角に屈曲しており、その先端部には、滑り止め用の溝が複数列形成された操作板５７が延設されている。この操作板５７の側面を両側から摘むようにして、アーム部４２を本体部５１側へ接近させてやれば、ラチェット歯３６と係止歯４２Ａの噛み合いを解消してスライダー４１の変位動作が許容されるようになる。
【００５８】
次に本実施形態特有の効果について説明する。
本実施形態の構成によれば、作業者は、単に操作板５７を押して、アーム部４２を撓ませることによってロックを解除できる。そして、バイブレータ４０を移動し、その後、アーム部４２の操作板５７から手を離してアーム部４２の撓みを戻せばロックされるから、バイブレータ４０の変位作業が容易になる。特に、パチンコ機１０の場合には、背面側に機構板１１等が複雑に配置されているため、バイブレータの変位作業は、通常困難である。本構成によれば、背面側に機構板１１等が複雑に配置されていたとしても作業者は、容易にバイブレータを変位することができる。
【００５９】
また、ガイドレール３５には、取付位置の指標３５Ｆが付されている。よって、作業者は、各パチンコ機１０に対し、この取付位置の指標３５Ｆを見ながら最適な場所にバイブレータ４０を変位することができる。
【００６０】
＜第３実施形態＞
次に、第３実施形態について図９〜１０を参照しつつ説明する。
第３実施形態では、第１実施形態と異なる構成のみ説明し、第１実施形態と同一の他の構成、作用、効果については省略する。
本実施形態においては、バイブレータ４０には、電源コード４０Ｄを巻き取るための巻き取り手段としての巻き取りリール４０Ｅが備えられている。巻き取りリール４０Ｅは、巻き取り溝を設けた円盤状のリール部に余剰の電源コード４０Ｄを巻き取ることができるようになっており、図示しない渦巻きばねによって巻き取り方向に付勢されている。
【００６１】
次に本実施形態特有の効果について説明する。
その位置を変位可能としたバイブレータ４０の電源コード４０Ｄは、バイブレータ４０が、電源回路から最も離れた位置にある場合でもその長さが足りるようにされている（図１０参照）。
そのため、例えば図９に示すような位置の場合には、電源コード４０Ｄが余り、この余った電源コード４０Ｄが邪魔となるばかりか、作業者が機構板１１等の調整をする場合に引っかけて電源コード４０Ｄが電源回路から抜けてしまったり、電源コード４０Ｄが断線する可能性もある。
本実施形態によれば、余剰の電源コード４０Ｄは巻き取りリール４０Ｅに巻き取り可能であるから、作業者が余剰の電源コード４０Ｄを引っかけて電源コード４０Ｄが電源回路から抜けてしまったり、電源コード４０Ｄが断線するおそれが減少する。
【００６２】
＜第４実施形態＞
次に、第４実施形態について図１１を参照しつつ説明する。
第４実施形態では、第１実施形態と異なる構成のみ説明し、第１実施形態と同一の他の構成、作用、効果については省略する。
タンクレール２０の側壁２２には、バイブレータ４０を複数の位置に取り付けるための複数組の取付部６５が備えられている。
この取付部６５は、円柱状のものであり側壁２２から外側（図面手前側）に向かって略垂直に起立して設けられており、バイブレータ４０に設けられた取り付け用の一対の張出部６０Ｃと対応して、２つで一組とされている。なお、取付部６５には、バイブレータ４０の取付のための下穴が開けられている。
また、取付部６５Ａ，６５Ｂ，６５Ｃは、それぞれタンクレール２０の上流付近の側壁２２、中流付近の側壁２２、下流付近の側壁２２に設けられている。
【００６３】
一方、バイブレータ４０の収納ケース４０Ｂの前後方向の両側壁には、張出部６０Ｃが形成され、張出部６０Ｃには、張出部６０Ｃの下面から所定の高さまで、すなわち、張出部６０Ｃの上面に達しない高さまで係合孔部６０Ｄが開けられている。係合孔部６０Ｄは、タンクレール２０の取付部６５と嵌合可能となっている。さらに、この張出部６０Ｃには、係合孔部６０Ｄと同心で、係合孔部６０Ｄよりも径が小さい貫通孔６０Ｅが、係合孔部６０Ｄと繋がって、張出部６０Ｃの上下面を貫通するようにして開けられている。バイブレータ４０の係合孔部６０Ｄを、タンクレール２０の取付部６５に嵌めた後に、貫通孔６０Ｅからネジ、例えばタッピンネジ６１を取付部６５の下穴に入れて、ねじ込むことによって、バイブレータ４０とタンクレール２０とが固定されるようになっている。
本実施形態によっても、遊技店では、バイブレータ４０の取付位置を変えることによって、球詰まりを効果的に解消することができる。
【００６４】
なお、本実施形態では、図１１に示すように、余剰の電源コード４０Ｄを取付部６５に巻き取ることも可能である。従って、作業者が余剰の電源コード４０Ｄを引っかけて電源コード４０Ｄが電源回路から抜けてしまったり、電源コード４０Ｄが断線するおそれが減少する。
【００６５】
＜第５実施形態＞
次に、第５実施形態について図１２を参照しつつ説明する。
第５実施形態では、第１実施形態と異なる構成のみ説明し、第１実施形態と同一の他の構成、作用、効果については省略する。本実施形態では、スライダー４１とガイドレール３５の形状が第１実施形態と異なる。
【００６６】
ガイドレール３５は、断面略逆Ｔ字状をなして樹脂にてタンクレール２０の側壁２２に一体成形されている。そして、後述するスライダー４１をこのガイドレール３５にスライド可能に取り付けた後に、ガイドレール３５の両端にキャップ（ストッパ）４５がはめ込まれ、スライダー４１が不用意に抜け落ちることを防止している。なお、キャップ４５は、ネジ４５Ａによって側壁２２に固定されている。また、ガイドレール３５の上面には、ねじ穴３８が、前後方向に沿って所定間隔毎に設けられている。ねじ穴３８は、バイブレータ４０をガイドレール３５に固定する際に、予め決められた所定の位置で固定するために設けられている。
【００６７】
一方、スライダー４１は、ガイドレール３５に適合したガイド溝を形成する一対の段状部材４３Ｆからなる摺動部４３と、これに固定されバイブレータ４０を取りつけるための取付板４７とからなる。段状部材４３Ｆは、ねじ４３Ｇにより取付板４７に固定されている。
また、取付板４７には、位置決め用のねじ挿通孔４３Ｃが形成されている。このねじ挿通孔４３Ｃは、バイブレータ４０が取付板４７に固定された状態で、バイブレータ４０によって、隠されない位置に設けられている。
ねじ挿通孔４３Ｃにねじ３９を挿通させて、ガイドレール３５のねじ穴３８に螺合することにより、バイブレータ４０がガイドレール３５に固定される。
【００６８】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００６９】
（１）上記第１、第２、及び第３実施形態では、ガイドレール３５は、タンクレール２０と別体としたが、ガイドレール３５をタンクレール２０に一体的に成形してもよい。
このようにすれば、バイブレータ４０の振動がタンクレール２０とガイドレール３５との接合部分で減衰するおそれはなくなり、振動が確実にパチンコ球に伝達される。
【００７０】
（２）上記第１、第２、第３、第５実施形態では、スライダー４１として取付板４７が設けられているものを示したが、スライダー４１から取付板４７を省略して、摺動部４３を直接バイブレータ４０に固定してもよい。また、バイブレータ４０の収納ケース４０Ｂにスライダー４１を一体成形してもよい。
【００７１】
（３）上記実施形態では、振動手段は、振動用モータを備えたバイブレータ４０としたが、電源が投入されると振動するものであれば特に限定されない。
【００７２】
（４）上記実施形態では、球詰まり解消手段として、振動手段であるバイブレータ４０を採用したが、球詰まり解消手段はこれに限られるものではない。例えば、回転軸にスクリューを取り付けたモータであってもよい。この場合には、集積したパチンコ球に回転するスクリューの羽根が当てられてパチンコ球の球詰まりが解消される。
【００７３】
（５）上記第３実施形態では、電源コード４０Ｄを巻き取るための巻き取り手段として、円盤状の巻き取りリール４０Ｅをその一例として挙げたが、その形状、構造等については特に限定されない。
【００７４】
（６）上記第１、第２、第３、第５実施形態では、特定形状のスライダー４１とガイドレール３５を用いて説明したが、スライダー４１とガイドレール３５の形状は特に限定されない。
【００７５】
（７）上記第４実施形態では、取付部６５は円柱状のものとしたが、取付部６５の形状は特に限定されない。例えば、単なる取付孔であってもよい。
【符号の説明】
【００７６】
１０…パチンコ機
２０…タンクレール
３５…ガイドレール（スライド手段）
４０…バイブレータ（球詰まり解消手段）
４１…スライダー（スライド手段）    
【図１】
2010110657.tif 000003
【図２】
2010110657.tif 000004
【図３】
2010110657.tif 000005
【図４】
2010110657.tif 000006
【図５】
2010110657.tif 000007
【図６】
2010110657.tif 000008
【図７】
2010110657.tif 000009
【図８】
2010110657.tif 000010
【図９】
2010110657.tif 000011
【図１０】
2010110657.tif 000012
【図１１】
2010110657.tif 000013
【図１２】
2010110657.tif 000014